(57)【要約】  携帯電話（１０１）は、撮像センサ（１０５）が生成するセンサ情報から、読み出し情報を生成する読み出し部（１１０）を備える。読み出し部（１１０）は、画素加算モードと切り出しモードの異なる読み出しモードでセンサ情報を読み出せる。読み出しモードは、ユーザの指示に応じて求められるズーム倍率から、モード選択部（１１１）により選択される。モード選択部（１１１）により選択される読み出しモードが変更される場合、変更後の読み出しモードによる画像情報が生成されるまで、切替画像生成部（１２５）が切替画像情報を生成し、予め設定された切替画像が表示部（１０３）に表示される。
2013005727.tif 000002
【特許請求の範囲】
【請求項１】
Ｎ個（Ｎは３以上の整数）の画素を備える撮像センサと、
前記撮像センサのＮ個の画素について、Ｍ個（ＭはＮ未満２以上の整数）の画素毎に、入射光の強度を示すセンサ情報を読み出す低減読み出し手段と、
前記撮像センサのＮ個の画素のうちの、特定領域内の各画素から、その画素への入射光の強度を示すセンサ情報を読み出す領域読み出し手段と、
ユーザの指示に応じてズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段と、
前記モード選択手段によって選択される読み出しモードを変更するか否か判別する切替判別手段と、
前記切替判別手段によって読み出しモードを変更すると判別された場合に、予め設定される切替画像を表す切替画像情報を生成する切替画像生成手段と、
前記低減モードでセンサ情報を読み出す場合には、前記低減読み出し手段によって読み出された前記センサ情報が表す低減画像を表示させ、前記領域モードでセンサ情報を読み出す場合には、前記領域読み出し手段によって読み出された前記センサ情報が表す領域画像を表示させ、前記切替画像生成手段によって生成された切替画像情報が表す切替画像を、前記低減画像と前記領域画像の一方から他方へ変更する間に、表示させる表示制御手段とを備える、
ことを特徴とする撮像装置。
【請求項２】
前記切替画像生成手段は、前記切替判別手段により読み出しモードを変更すると判別された場合に、変更後の読み出しモードに対応する前記低減読み出し手段又は前記領域読み出し手段により読み出された前記センサ情報が表す画像が前記表示制御手段によって表示されるまでの間、予め設定される切替画像を表す切替画像情報を生成する、
ことを特徴とする請求項１に記載の撮像装置。
【請求項３】
前記切替画像生成手段は、前記低減読み出し手段又は前記領域読み出し手段によって前記切替判別手段による読み出しモードの変更の判別以前に読み出されたセンサ情報から、切替画像情報を生成する、
ことを特徴とする請求項１又は２に記載の撮像装置。
【請求項４】
Ｎ個（Ｎは３以上の整数）の画素を備える撮像センサと、
表示手段に表示された画像に対してユーザが指定する領域を表す情報を受け付ける領域受付手段と、
前記撮像センサのＮ個の画素について、Ｍ個（ＭはＮ未満２以上の整数）の画素毎に、入射光の強度を示すセンサ情報を読み出す低減読み出し手段と、
前記撮像センサのＮ個の画素のうちの、特定領域内の各画素から、その画素への入射光の強度を示すセンサ情報を読み出す領域読み出し手段と、
前記表示手段に表示された画像の大きさと前記領域受付手段によって受け付けられた情報が表す領域の大きさからズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段と、
前記低減読み出し手段によって読み出された前記センサ情報、又は前記領域読み出し手段によって読み出された前記センサ情報から、前記求めたズーム倍率に応じたズーム画像情報を生成するズーム画像生成手段と、
前記ズーム画像情報が表すズーム画像を前記表示手段に表示させる表示制御手段とを備える、
ことを特徴とする撮像装置。
【請求項５】
キー又はタッチパネルで構成される入力手段を備え、
前記領域受付手段は、前記入力手段へのユーザの操作に応じて、前記表示手段に表示された画像に対してユーザが指定する領域を受け付ける、
ことを特徴とする請求項４に記載の撮像装置。
【請求項６】
前記モード選択手段は、前記ズーム倍率が閾値未満である場合に、前記低減モードを選択し、前記ズーム倍率が閾値以上である場合に、前記領域モードを選択する、
ことを特徴とする請求項１乃至５のいずれか１項に記載の撮像装置。
【請求項７】
前記ズーム倍率は、前記低減読み出し手段によって読み出される前記センサ情報の全部から生成される画像を基準として求められる、
ことを特徴とする請求項１乃至６のいずれか１項に記載の撮像装置。
【請求項８】
撮像センサのＮ個（Ｎは３以上の整数）の画素について、Ｍ個（ＭはＮ未満２以上の整数）の画素毎に、入射光の強度を示すセンサ情報を読み出す低減読み出し手段、
前記撮像センサのＮ個の画素のうちの、特定領域内の各画素から、その画素への入射光の強度を示すセンサ情報を読み出す領域読み出し手段、
ユーザの指示に応じてズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段、
前記モード選択手段によって選択される読み出しモードを変更するか否か判別する切替判別手段、
前記切替判別手段によって読み出しモードを変更すると判別された場合に、予め設定される切替画像を表す切替画像情報を生成する切替画像生成手段、
前記低減モードでセンサ情報を読み出す場合には、前記低減読み出し手段によって読み出された前記センサ情報が表す低減画像を表示させ、前記領域モードでセンサ情報を読み出す場合には、前記領域読み出し手段によって読み出された前記センサ情報が表す領域画像を表示させ、前記切替画像生成手段によって生成された切替画像情報が表す切替画像を、前記低減画像と前記領域画像の一方から他方へ変更する間に、表示させる表示制御手段としてコンピュータを機能させる、
ことを特徴とするプログラムを記録したコンピュータ読み取り可能な記録媒体。
【請求項９】
表示手段に表示された画像に対してユーザが指定する領域を表す情報を受け付ける領域受付手段、
撮像センサのＮ個（Ｎは３以上の整数）の画素について、Ｍ個（ＭはＮ未満２以上の整数）の画素毎に、入射光の強度を示すセンサ情報を読み出す低減読み出し手段、
前記撮像センサのＮ個の画素のうちの、特定領域内の各画素から、その画素への入射光の強度を示すセンサ情報を読み出す領域読み出し手段、
前記表示手段に表示された画像の大きさと前記領域受付手段によって受け付けられた情報が表す領域の大きさからズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段、
前記低減読み出し手段によって読み出された前記センサ情報、又は前記領域読み出し手段によって読み出された前記センサ情報から、前記求めたズーム倍率に応じたズーム画像情報を生成するズーム画像生成手段、
前記ズーム画像情報が表すズーム画像を前記表示手段に表示させる表示制御手段としてコンピュータを機能させる、
ことを特徴とするプログラムを記録したコンピュータ読み取り可能な記録媒体。
【発明の詳細な説明】
【技術分野】
【０００１】
本発明は、撮像装置及び記録媒体に関する。
【背景技術】
【０００２】
デジタルカメラの多くは、デジタルズーム機能を備える。ユーザはデジタルカメラの表示部の画像を見ながら、拡大された画像を撮影する。【０００３】
デジタルズーム機能を実現する処理の負荷は、処理対象となる画像情報の量が少ない方が小さい。そのため、撮像センサから、画素の信号電荷を加算して読み出すことにより、画像情報の量を少なくする技術がある（例えば、特許文献１参照）。【０００４】
画素加算読み出し（ｐｉｘｅｌ  ａｄｄｉｔｉｏｎ  ｒｅａｄｏｕｔ）は、光電変換によって得られた信号電荷を撮像センサから読み出す場合に、所定の領域に含まれる同一色の画素の信号電荷を加算して読み出す方法である。特許文献１に記載の技術では、ズーム倍率に応じて、加算する画素の数を段階的に変更する。
【先行技術文献】
【特許文献】
【０００５】
【特許文献１】特開２００８−１７０９０号公報
【発明の概要】
【発明が解決しようとする課題】
【０００６】
加算する画素の数を変更した後、撮像センサから信号電荷を読み出すには、時間がかかる。この間、表示部の表示が停止する。【０００７】
本発明は、上記の実情に鑑みてなされたものであり、表示の停止が起きにくい撮像装置及び記録媒体を提供することを目的とする。
【課題を解決するための手段】
【０００８】
上記の目的を達成するため、本発明の第１の観点に係る撮像装置は、
Ｎ個（Ｎは３以上の整数）の画素を備える撮像センサと、
前記撮像センサのＮ個の画素について、Ｍ個（ＭはＮ未満２以上の整数）の画素毎に、入射光の強度を示すセンサ情報を読み出す低減読み出し手段と、
前記撮像センサのＮ個の画素のうちの、特定領域内の各画素から、その画素への入射光の強度を示すセンサ情報を読み出す領域読み出し手段と、
ユーザの指示に応じてズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段と、
前記モード選択手段によって選択される読み出しモードを変更するか否か判別する切替判別手段と、
前記切替判別手段によって読み出しモードを変更すると判別された場合に、予め設定される切替画像を表す切替画像情報を生成する切替画像生成手段と、
前記低減モードでセンサ情報を読み出す場合には、前記低減読み出し手段によって読み出された前記センサ情報が表す低減画像を表示させ、前記領域モードでセンサ情報を読み出す場合には、前記領域読み出し手段によって読み出された前記センサ情報が表す領域画像を表示させ、前記切替画像生成手段によって生成された切替画像情報が表す切替画像を、前記低減画像と前記領域画像の一方から他方へ変更する間に、表示させる表示制御手段とを備える、
ことを特徴とする。【０００９】
また、本発明の第２の観点に係る撮像装置は、
Ｎ個（Ｎは３以上の整数）の画素を備える撮像センサと、
表示手段に表示された画像に対してユーザが指定する領域を表す情報を受け付ける領域受付手段と、
前記撮像センサのＮ個の画素について、Ｍ個（ＭはＮ未満２以上の整数）の画素毎に、入射光の強度を示すセンサ情報を読み出す低減読み出し手段と、
前記撮像センサのＮ個の画素のうちの、特定領域内の各画素から、その画素への入射光の強度を示すセンサ情報を読み出す領域読み出し手段と、
前記表示手段に表示された画像の大きさと前記領域受付手段によって受け付けられた情報が表す領域の大きさからズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段と、
前記低減読み出し手段によって読み出された前記センサ情報、又は前記領域読み出し手段によって読み出された前記センサ情報から、前記求めたズーム倍率に応じたズーム画像情報を生成するズーム画像生成手段と、
前記ズーム画像情報が表すズーム画像を前記表示手段に表示させる表示制御手段とを備える、
ことを特徴とする。【００１０】
さらに、本発明の第３の観点に係るコンピュータ読み取り可能な記録媒体は、
撮像センサのＮ個（Ｎは３以上の整数）の画素について、Ｍ個（ＭはＮ未満２以上の整数）の画素毎に、入射光の強度を示すセンサ情報を読み出す低減読み出し手段、
前記撮像センサのＮ個の画素のうちの、特定領域内の各画素から、その画素への入射光の強度を示すセンサ情報を読み出す領域読み出し手段、
ユーザの指示に応じてズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段、
前記モード選択手段によって選択される読み出しモードを変更するか否か判別する切替判別手段、
前記切替判別手段によって読み出しモードを変更すると判別された場合に、予め設定される切替画像を表す切替画像情報を生成する切替画像生成手段、
前記低減モードでセンサ情報を読み出す場合には、前記低減読み出し手段によって読み出された前記センサ情報が表す低減画像を表示させ、前記領域モードでセンサ情報を読み出す場合には、前記領域読み出し手段によって読み出された前記センサ情報が表す領域画像を表示させ、前記切替画像生成手段によって生成された切替画像情報が表す切替画像を、前記低減画像と前記領域画像の一方から他方へ変更する間に、表示させる表示制御手段としてコンピュータを機能させる、
プログラムを記録したことを特徴とする。【００１１】
さらに、本発明の第４の観点に係るコンピュータ読み取り可能な記録媒体は、
表示手段に表示された画像に対してユーザが指定する領域を表す情報を受け付ける領域受付手段、
撮像センサのＮ個（Ｎは３以上の整数）の画素について、Ｍ個（ＭはＮ未満２以上の整数）の画素毎に、入射光の強度を示すセンサ情報を読み出す低減読み出し手段、
前記撮像センサのＮ個の画素のうちの、特定領域内の各画素から、その画素への入射光の強度を示すセンサ情報を読み出す領域読み出し手段、
前記表示手段に表示された画像の大きさと前記領域受付手段によって受け付けられた情報が表す領域の大きさからズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段、
前記低減読み出し手段によって読み出された前記センサ情報、又は前記領域読み出し手段によって読み出された前記センサ情報から、前記求めたズーム倍率に応じたズーム画像情報を生成するズーム画像生成手段、
前記ズーム画像情報が表すズーム画像を前記表示手段に表示させる表示制御手段としてコンピュータを機能させる、
プログラムを記録したことを特徴とする。
【発明の効果】
【００１２】
本発明によれば、撮像装置における表示の停止を起きにくくできる。
【図面の簡単な説明】
【００１３】
【図１】本発明の第１実施形態に係る携帯電話の外観を示す図である。
【図２】第１実施形態に係る携帯電話が備える構成を示す図である。
【図３】撮像センサに設けられるカラーフィルタを示す図である。
【図４】センサ情報に現像処理を施して得られる撮影画像を示す図である。
【図５】第１実施形態に係る入力受付部の構成を示す図である。
【図６】読み出し部の構成を示す図である。
【図７】第１実施形態に係るモード選択部の構成を示す図である。
【図８】第１実施形態に係る撮影処理を示すフローチャートである。
【図９】撮影開始処理を示すフローチャートである。
【図１０】画素加算情報に含まれるＧ成分の画素の画素値を求める方法を示す図である。
【図１１】画素加算情報に含まれるＲ成分の画素の画素値を求める方法を示す図である。
【図１２】画素加算情報に含まれるＢ成分の画素の画素値を求める方法を示す図である。
【図１３】画素加算アルゴリズムに従って画素値が求められる代表画素と、撮像センサの画素との位置関係を示す図である。
【図１４】画素加算情報に含まれる画素の配列を示す図である。
【図１５】図１４に表す画素配列の画素を含む画素加算情報により生成される基準画像を示す図である。
【図１６】第１実施形態に係るモード選択処理を示すフローチャートである。
【図１７】ズーム倍率が１．５倍のズーム画像を示す図である。
【図１８】ズーム倍率が１．５倍である場合に、表示部に表示されるズーム画像を示す図である。
【図１９】モード切替処理を示すフローチャートである。
【図２０】切替画像を示す図である。
【図２１】切り出し情報に含まれる画素の配列を示す図である。
【図２２】切り出し画像と基準画像との関係を表す図である。
【図２３】切り出し画像を示す図である。
【図２４】ズーム倍率が２倍である場合に、表示部に表示されるズーム画像を示す図である。
【図２５】ズーム倍率が４倍のズーム画像を示す図である。
【図２６】ズーム倍率が４倍である場合に、表示部に表示されるズーム画像を示す図である。
【図２７】第１実施形態におけるズーム倍率の変化と時間との関係を示す図である。
【図２８】第２実施形態に係る携帯電話の外観を示す図である。
【図２９】第２実施形態に係る携帯電話が備える構成を示す図である。
【図３０】第２実施形態に係る入力受付部の構成を示す図である。
【図３１】第２実施形態に係るモード選択部の構成を示す図である。
【図３２】第２実施形態に係る撮影処理を示すフローチャートである。
【図３３】第２実施形態に係るモード選択処理を示すフローチャートである。
【図３４】第３実施形態に係る携帯電話の外観を示す図である。
【図３５】第３実施形態に係る携帯電話が備える構成を示す図である。
【図３６】第３実施形態に係る入力受付部の構成を示す図である。
【図３７】第３実施形態に係る撮影処理を示すフローチャートである。
【図３８】タッチパネルを用いた領域指定方法を示す図である。
【図３９】タッチパネルを用いた領域指定方法を示す図である。
【発明を実施するための形態】
【００１４】
以下、本発明の実施形態について、図面を参照しながら説明する。なお、全図を通じて同一の要素には同一の符号を付している。
【００１５】
（第１実施形態）
第１実施形態に係る携帯電話は、音声、文字、画像を含む情報を送受信する。また、携帯電話は、撮像装置（カメラ）を備える。撮影される画像は、静止画像と動画像のいずれでもよい。本実施形態では、静止画像を例に説明する。
【００１６】
第１実施形態に係る携帯電話１０１は、図１に示すように、入力部１０２ａ〜１０２ｃと、表示部１０３とを備える。
【００１７】
入力部１０２ａ〜１０２ｃは、ユーザが操作する部位である。入力部１０２ａ〜１０２ｃの操作によるユーザの指示は、後述する入力受付部１０９によって受け付けられる。
【００１８】
表示部１０３は、画像を表示する。表示部１０３は、ストライプ形式のＶＧＡ（６４０×４８０×ＲＧＢ）の液晶ディスプレイで構成される。液晶ディスプレイの１画素は、Ｒ（赤）、Ｇ（緑）Ｂ（青）のサブ画素を備える。
【００１９】
携帯電話１０１はさらに、図２に示すように、レンズ１０４と、撮像センサ１０５と、メモリ１０６と、着脱可能な外部メモリ１０７と、制御部１０８とを備える。
【００２０】
レンズ１０４は、被写体の画像を撮像センサ１０５に結像する。レンズ１０４は、表示部１０３の背面に設けられる。
【００２１】
撮像センサ１０５は、結像面にＮ個（Ｎは３以上の整数）の受光部（横８０００個×縦６０００個）を備える。各受光部は、光電変換によって、被写体から入射した光の強さに応じた強度の電気信号を生成する。撮像センサは、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ、ＣＣＤ（Ｃｈａｒｇｅ  Ｃｏｕｐｌｅｄ  Ｄｅｖｉｃｅ）イメージセンサなどの半導体素子から構成される。
【００２２】
撮像センサ１０５は、Ｒ（赤）、Ｇ（緑）、Ｂ（青）のカラーフィルタを備える。撮像センサ１０５の各受光部は、Ｒ、Ｇ、Ｂのいずれかの色フィルタを割り当てられる。色フィルタが割り当てられた各受光部は、撮像センサ１０５の画素を構成する。したがって、撮像センサ１０５の各画素は、それぞれＲ、Ｇ、又はＢの色成分を有する。撮像センサ１０５は、入射光の強度を示すセンサ情報を生成する。
【００２３】
図３は、本実施形態におけるカラーフィルタを示す。カラーフィルタには、横８０００個×縦６０００個の色フィルタがベイヤ配列型で並べられる。ベイヤ配列型のカラーフィルタでは、奇数行目にはＧ成分フィルタとＲ成分のフィルタが交互に配置される。偶数行目にはＢ成分フィルタとＧ成分のフィルタが交互に配置される。また、奇数行目と偶数行目のＧ成分のフィルタは、縦方向で重ならないようにずらして配置される。
【００２４】
図４は、本実施形態に係るセンサ情報に現像処理を施した撮影画像を示す。撮影画像は、１２Ｍ（メガ）ピクセル（横４０００個×縦３０００個）により表される。撮影画像を表す各画素は、撮像センサ１０５の各色成分を有する画素で構成される。
【００２５】
メモリ１０６と外部メモリ１０７は、各種情報を保持する記憶部を構成する。メモリ１０６は、例えば、ＲＡＭ（Ｒａｎｄｏｍ  Ａｃｃｅｓｓ  Ｍｅｍｏｒｙ）、フラッシュメモリである（図２）。外部メモリ１０７は、例えば、フラッシュメモリである。以下では、記憶部をメモリ１０６として本実施形態を説明する。
【００２６】
制御部１０８は、携帯電話１０１の撮影機能を制御する。制御部１０８は、１つ又は複数のプロセッサで構成される。
【００２７】
図２は、制御部１０８が備える機能を示す。各機能は、制御部１０８のプロセッサの機能によって実現できる。また、各機能は、メモリ１０６に格納されたソフトウェア・プログラムの実行よっても実現できる。さらに、各機能はプロセッサの機能とメモリ１０６に格納されたソフトウェア・プログラムの実行の組み合わせによっても実現できる。
【００２８】
図２に示すように、制御部１０８は、入力受付部１０９と、読み出し部１１０と、モード選択部１１１と、モード切替判別部１１２とを備える。
【００２９】
入力受付部１０９は、ユーザによる入力部１０２ａ〜１０２ｃの操作に応じた指示情報を受け付ける。入力受付部１０９は、図５に示すように、起動受付部１１３と、終了受付部１１４と、倍率決定受付部１１５と、倍率変更受付部１１６とを備える。
【００３０】
起動受付部１１３は、制御部１０８の撮影機能を起動する起動情報を受け付ける。終了受付部１１４は、制御部１０８の撮影機能を終了する終了情報を受け付ける。倍率決定受付部１１５は、ユーザが所望のズーム倍率で撮影画像を記録する倍率決定情報を受け付ける。倍率変更受付部１１６は、ズーム倍率を変更する倍率変更情報を受け付ける。
【００３１】
指示情報は、入力部のキーボタン１０２ａ〜１０２ｃに対応する。例えば、ユーザがＵＰキー１０２ａを押下した場合に、倍率変更受付部１１６は、ズーム倍率を上げる倍率変更情報（ズームアップ）を受け付ける。また、ユーザがＤＯＷＮキー１０２ｂを押下した場合に、倍率変更受付部１１６は、ズーム倍率を下げる倍率変更情報（ズームダウン）を受け付ける。また、ユーザが決定キー１０２ｃを押下した場合に、倍率決定受付部１１５は、倍率決定情報を受け付ける。
【００３２】
読み出し部１１０は、撮像センサ１０５からセンサ情報を読み出す（図２）。読み出し部１１０は、撮像センサ１０５から画素加算モード（低減モード）又は切り出しモード（領域モード）でセンサ情報を読み出す。読み出し部１１０は、読み出したセンサ情報から読み出し情報を生成する（図２）。
【００３３】
読み出し部１１０は、図６に示すように、モード設定部１１７と、画素加算部１１８と、切り出し部１１９とを備える。
【００３４】
モード設定部１１７は、読み出しモードを画素加算モード又は切り出しモードに設定する。
【００３５】
画素加算部１１８は、撮像センサ１０５から画素加算アルゴリズム（画素加算モード）に従ってセンサ情報を読み出す。画素加算部１１８は、読み出したセンサ情報から、後述する代表画素の位置と代表画素の画素値（入射光の強度の値）とを代表画素毎に関連付けた画素加算情報を生成する。
【００３６】
画素加算アルゴリズムにおいて、画素加算部１１８は撮像センサ１０５の画素配列をＭ個の画素を含む単位領域に分割する。ここで、Ｍは撮像センサの画素数Ｎ未満２以上の整数である。画素加算部１１８は、その単位領域内の同色成分の画素の画素値を加算する。画素加算部１１８は、その得られた画素値の和を単位領域内に設定される代表画素の画素値とする。代表画素の位置は、その単位領域の位置に応じて求められる。また、代表画素の色成分は、加算元の画素の色成分に対応する。画素加算モードの詳細は、具体例を挙げて後述する。
【００３７】
切り出し部１１９は、撮像センサ１０５の画素配列の特定領域内の各画素から、その画素への入射光の強度を示すセンサ情報を読み出す。切り出し部１１９は、読み出したセンサ情報から、画素の位置と画素値とを画素毎に関連付けた切り出し情報を生成する。切り出しモードは、具体例を挙げて後述する。
【００３８】
モード選択部１１１は、ズーム倍率と閾値から、読み出しモードとして画素加算モードと切り出しモードのいずれかを選択する（図２）。モード選択部１１１は、図７に示すように、算定部１２０と、比較部１２１と、選択部１２２とを備える。
【００３９】
算定部１２０は、倍率変更情報に従って、変更後のズーム倍率を求める。算定部１２０は、求めたズーム倍率を表す情報（ズーム倍率情報）を生成する。また、算定部１２０は、生成したズーム倍率情報を保持する。なお、ズーム倍率情報は、メモリ１０６に記憶されてもよい。
【００４０】
例えば、倍率変更受付部１１６が、ＵＰキー１０２ａが１度押下された倍率変更情報を受け付ける。この場合、算定部１２０は、その倍率変更情報を受け付けた時のズーム倍率（現在のズーム倍率）に１段階分（例えば、０．１倍）のズーム倍率を加える。ＤＯＷＮキー１０２ｂが１度押下された場合、算定部１２０は、現在のズーム倍率から１段階分のズーム倍率を減らす。
【００４１】
ＵＰキー１０２ａが継続して押下された場合、算定部１２０は押下された時間に比例して増加するように、ズーム倍率を求めてもよい。また、算定部１２０は、押下された時間に対して加速度的に増加するようにズーム倍率を求めてもよい。さらに、ＤＯＷＮキー１０２ｂが継続して押下された場合に、算定部１２０は、押下された時間に応じて減少するようにズーム倍率を求めてもよい。
【００４２】
比較部１２１は、算定部１２０によって求められたズーム倍率が閾値以上であるか否かを判別する。
【００４３】
選択部１２２は、比較部１２１の判別結果から、ズーム倍率が閾値より小さい場合、読み出しモードとして画素加算モードを選択する。また、選択部１２２は、ズーム倍率が閾値以上である場合、読み出しモードとして切り出しモードを選択する。選択部１２２は、選択した読み出しモードを表す情報を生成する。
【００４４】
モード切替判別部１１２は、モード選択部１１１によって選択された読み出しモードから、読み出しモードを変更するか否かを判別する（図２）。モード切替判別部１１２は、判別結果を表す情報を生成する。
【００４５】
具体的には、モード切替判別部１１２は、変更後の読み出しモード情報と、変更前の読み出しモード情報とを参照する。ここで、変更後の読み出しモード情報は、選択された読み出しモード（変更後の読み出しモード）を表す。また、変更前の読み出しモード情報は、変更前の読み出しモードを表す。変更前の読み出しモード情報は、モード切替判別部１１２又はメモリ１０６によって保持されてもよい。変更後の読み出しモードと変更前の読み出しモードが同じ場合には、モード切替判別部１１２は、読み出しモードを変更しないと判別する。変更後の読み出しモードと変更前の読み出しモードが異なる場合には、モード切替判別部１１２は、読み出しモードを変更すると判別する。
【００４６】
さらに、制御部１０８は、図２に示すように、基準画像生成部１２３と、ズーム画像生成部１２４と、切替画像生成部１２５と、表示制御部１２６と、圧縮部１２７と、メモリ制御部１２８とを備える。
【００４７】
基準画像生成部１２３は、初期設定に従って、センサ情報から基準画像を表す情報（基準画像情報）を生成する。
【００４８】
基準画像は、ズーム倍率を求める基準となる画像である。すなわち、基準画像は、等倍（ズーム倍率が１）の画像である。本実施形態に係る基準画像は、画素加算情報により表される画像のうち、最も広い範囲を表す画像である。なお、基準画像の具体的な条件は、任意に設定されてよい。
【００４９】
ズーム画像生成部１２４は、読み出し情報からズーム画像を表す情報（ズーム画像情報）を生成する。ズーム画像は、例えば、基準画像の中心を不動点として、ズーム倍率に応じて基準画像を拡大した画像である。
【００５０】
なお、基準画像生成部１２３、ズーム画像生成部１２４は、デモザイキング、ノイズ低減処理、ガンマ補正の１つ又は複数の処理を実行してもよい。
【００５１】
切替画像生成部１２５は、切替画像を表す情報（切替画像情報）を生成する。切替画像情報は、切替処理が実行される間に、生成される。切替処理とは、モード切替判別部１１２によって読み出しモードを変更すると判別された後、読み出しモードの変更に関連する処理で構成される。切替画像情報は、例えば、読み出しモードの変更までに生成されたズーム画像情報に、トランシジョン処理を施した画像情報である。
【００５２】
トランシジョン処理は、視覚的な効果を有する画像変換処理であればよい。トランシジョン処理は、画像をフェードアウトする処理、ズームイン（縮小）又はズームアウト（拡大）する処理、回転する処理、ワイプする処理を含む。トランシジョン処理は、これらを組み合わせてもよい。トランジション処理の具体的な内容は、切替画像生成部１２５又はメモリ１０６に予め記憶させる。
【００５３】
切替処理は、モード切替判別部１１２が読み出しモードを変更すると判別してから、変更後の読み出しモードによるズーム画像が表示部１０３に表示されるまでの間に、実行される処理である。切替処理は、読み出し部１１０が変更後の読み出しモードでセンサ情報を読み出す処理、ズーム画像生成部１２４がズーム画像情報を生成する処理を含む。
【００５４】
表示制御部１２６は、基準画像、ズーム画像、切替画像を表示部１０３に表示させる。
【００５５】
圧縮部１２７は、画像情報（基準画像情報又はズーム画像情報）に画像圧縮処理を施す。圧縮部１２７は、圧縮後の画像情報をメモリ１０６に格納する。画像圧縮処理には、画像を圧縮する任意の方法が適用される。静止画像に対しては、ＪＰＥＧ（Ｊｏｉｎｔ  Ｐｈｏｔｏｇｒａｐｈｉｃ  Ｅｘｐｅｒｔｓ  Ｇｒｏｕｐ）に準拠した圧縮方法が適用される。また、動画像に対しては、ＭＰＥＧ（Ｍｏｖｉｎｇ  Ｐｉｃｔｕｒｅ  Ｅｘｐｅｒｔｓ  Ｇｒｏｕｐ）に準拠した圧縮方法が適用される。
【００５６】
メモリ制御部１２８は、メモリ１０６又は外部メモリ１０７へのアクセスを制御する。すなわち、メモリ１０６，１０７に情報を記憶させる処理、メモリ１０６，１０７から情報を読み出す処理は、メモリ制御部１２８を介して実行される。
【００５７】
第１実施形態に係る携帯電話１０１の撮影処理について、説明する。
【００５８】
図８は、第１実施形態に係る撮影処理を示すフローチャートである。
【００５９】
起動受付部１１３は、起動情報を受け付けるまで待機する（ステップＳ１０１；Ｎｏ）。起動受付部１１３が起動情報を受け付けた場合（ステップＳ１０１；Ｙｅｓ）、制御部１０８は、撮影開始処理（ステップＳ１０２）を実行する。図９は撮影開始処理（ステップＳ１０２）を示す。
【００６０】
モード設定部１１７は、初期設定情報に従って読み出しモードを画素加算モードに設定する（ステップＳ１０２１）。画素加算部１１８は、撮像センサ１０５からセンサ情報を画素加算モードで読み出す。画素加算部１１８は、その読み出したセンサ情報から、画素加算情報を生成する（ステップＳ１０２２）。
【００６１】
ここで、画素加算アルゴリズムについて、具体例により説明する。画素加算アルゴリズムにおいて、画素加算部１１８は撮像センサ１０５の画素配列を、Ｍ個の画素を含む単位領域に分割する。ここで、Ｍは撮像センサの画素数Ｎ未満２以上の整数である。本実施形態では、単位領域は縦横３画素（Ｍ＝９）から構成される。そして、単位領域の中心の画素がその単位領域の代表画素に設定される。また、以下の説明では、撮像センサ１０５の画素配列の各画素の位置は、（Ｘ，Ｙ）により表される。Ｘは、その画素が左から横方向に何番目に位置するかを表す。Ｙは、その画素が上から縦方向に何番目に位置するかを表す。
【００６２】
図１０は、画素加算情報に含まれるＧ成分の画素の画素値を求める方法を示す。
【００６３】
まず、画素加算部１１８は、（２，２）の画素（第１代表画素）を中心とする第１単位領域を設定する。画素加算部１１８は、第１代表画素を除いた第１単位領域内のＧ成分の画素の画素値を加算する。画素加算部１１８は、その得られた和を第１代表画素の画素値とする。
【００６４】
次に、画素加算部１１８は、第１代表画素の右下に位置するＧ成分の画素、すなわち（３，３）の画素（第２代表画素）、を中心とする第２単位領域を設定する。画素加算部１１８は、第２代表画素を除いた第２単位領域内のＧ成分の画素の画素値を加算する。画素加算部１１８は、その得られた和を第２代表画素の画素値とする。
【００６５】
画素加算部１１８は、第１代表画素、第２代表画素それぞれから横方向に３列間隔、縦方向に３行間隔で、単位領域の設定と代表画素の画素値を求めることを繰り返す。単位領域の設定と代表画素の画素値を求めることは、撮像センサ１０５の画素配列すべてに対して、繰り返される。この方法によって、画素加算部１１８は、画素加算後のＧ成分の画素の画素値を求める。
【００６６】
図１１は、画素加算情報に含まれるＲ成分の画素の画素値を求める方法を示す。
【００６７】
画素加算部１１８は、（３，２）の画素（第３代表画素）を中心とする第３単位領域を設定する。画素加算部１１８は、第３単位領域内のＲ成分の画素の画素値を加算する。画素加算部１１８は、その得られた和を第３代表画素の画素値とする。画素加算部１１８は、第３代表画素から横方向に３列間隔、縦方向に３行間隔で、単位領域の設定と代表画素の画素値を求めることを繰り返す。単位領域の設定と代表画素の画素値を求めることは、撮像センサ１０５の画素配列すべてに対して、繰り返される。この方法に、画素加算部１１８は、画素加算後のＲ成分の画素の画素値を求める。
【００６８】
図１２は、画素加算情報に含まれるＢ成分の画素の画素値を求める方法を示す。
【００６９】
画素加算部１１８は、（２，３）の画素（第４代表画素）を中心とする第４単位領域を設定する。画素加算部１１８は、第４単位領域内のＢ成分の画素の画素値を加算する。画素加算部１１８は、その得られた和を第４代表画素の画素値とする。画素加算部１１８は、第４代表画素から横方向に３列間隔、縦方向に３行間隔で、単位領域の設定と代表画素の画素値を求めることを、繰り返す。単位領域の設定と代表画素の画素値を求めることは、撮像センサ１０５の画素配列すべてに対して、繰り返される。この方法によって、画素加算部１１８は、画素加算後のＢ成分の画素の画素値を求める。
なお、単位領域の設定と代表画素の画素値を求めることは、撮像センサ１０５の画素配列の一部の領域に対して、繰り返えされてもよい。例えば、その繰り返しは、横８０００個×縦６０００個の撮像センサ１０５の画素配列において、中央の横７８００個×縦５８００個の領域に対して、繰り返される。また、単位領域に含まれる画素の数Ｍは、一定でなくともよい。例えば、撮像センサ１０５の画素配列のうち、中央の領域に対して、Ｍ＝９（縦横３画素）、周辺の領域に対して、Ｍ＝２５（縦横５画素）が設定されてもよい。
【００７０】
図１３は、画素加算アルゴリズムに従って画素値が求められた代表画素と、撮像センサ１０５の画素との位置関係を示す。
【００７１】
撮像センサ１０５の画素のうち、図１３においてＸを付した画素は、代表画素として選択されない。そのため、図１３においてＸを付した画素の画素値は求められない。そして、撮像センサ１０５の（２＋４ｍ，２＋４ｎ）及び（３＋４ｍ，３＋４ｎ）に位置するＧ成分の代表画素と、（３＋４ｍ，２＋４ｎ）に位置するＲ成分の代表画素と、（２＋４ｍ，３＋４ｎ）に位置するＢ成分の代表画素に対して、画素値が求められる。ｍ，ｎは、０≦ｍ≦３９９、０≦ｎ≦７４９の整数とする。
【００７２】
画素加算情報に含まれる画素は、図１４に示すように、撮像センサ１０５と同様にベイヤ配列型の画素配列を有する。また、画素加算情報に含まれる画素は、横４０００個×縦３０００個並ぶ。画素加算情報に含まれる画素の数は、撮像センサ１０５の画素の数の１／４に低減する。
【００７３】
したがって、画素加算情報の使用によって、低コスト、小型のプロセッサが、撮像センサ１０５から３０ｆｐｓ程度のフレームレートですべての撮影情報を読み出せる。また、画素加算モードでは、複数の画素の画素値が加算されるので、感度が向上する。また、Ｓ／Ｎ比も改善する。
【００７４】
基準画像生成部１２３は、画素加算情報を取得する。また、基準画像生成部１２３は、取得した画素加算情報から基準画像情報を生成する（図９：ステップＳ１０２３）。図１５は、画素加算情報から生成される基準画像を示す。本実施形態の基準画像は、センサ情報に現像処理を施すことによって得られる撮影画像を、その１／４の画素数（横２０００×縦１５００）で表す画像である。
【００７５】
表示制御部１２６は、基準画像情報を取得する。また、表示制御部１２６は、表示部１０３にその基準画像情報による基準画像を表示させる（図９：ステップＳ１０２４）。図１は、基準画像（ズーム倍率１）が表示された本実施形態の携帯電話の外観を示す。これにより、制御部１０８は、撮影開始処理（ステップＳ１０２）を終了する。
【００７６】
倍率変更受付部１１６が倍率変更情報を受け付けた場合に（ステップＳ１０３；Ｙｅｓ）、モード選択部１１１は、モード選択処理（ステップＳ１０４）を実行する（図８）。
【００７７】
例えば、ＵＰキー１０２ａの押下によって、倍率変更受付部１１６が倍率変更情報を受け付ける。（ステップＳ１０３；Ｙｅｓ）、その結果、ズーム倍率が１．４倍から１．５倍に変更される場合を説明する。
【００７８】
図１６に示すように、算定部１２０は、倍率変更情報と現在のズーム倍率から変更後のズーム倍率を求める。その後、算定部１２０は、ズーム倍率情報を生成する（ステップＳ１０４１）。現在のズーム倍率を１．４倍と仮定する。ズーム倍率を０．１倍上げる倍率変更情報を取得した場合、算定部１２０は、変更後のズーム倍率を１．５倍と求める（ステップＳ１０４１）。
【００７９】
比較部１２１は、算定部１２０からズーム倍率情報を取得する。比較部１２１は、その取得したズーム倍率情報からズーム倍率が閾値（例えば、２）以上であるか否かを判別する（ステップＳ１０４２）。変更後のズーム倍率が１．５倍の場合、比較部１２１はズーム倍率が２以上でないと判別する（ステップＳ１０４２；Ｎｏ）。
【００８０】
ズーム倍率が２以上でないと判別された場合（ステップＳ１０４２；Ｎｏ）、選択部１２２は、変更後の読み出しモードに画素加算モードを選択する。選択部１２２は、変更後の読み出しモード情報を生成する（ステップＳ１０４３）。
【００８１】
モード切替判別部１１２は、変更後の読み出しモード情報を取得する。また、モード切替判別部１１２は、変更前の読み出しモード情報を参照する。これによって、モード切替判断部１１２は、読み出しモードを変更するか否かを判別する（図８：ステップＳ１０５）。変更前の読み出しモード（ズーム倍率１．４倍）と変更後の読み出しモードは画素加算モードである。そのため、モード切替判断部１１２は、読み出しモードを変更しないと判別する（ステップＳ１０５；Ｎｏ）。
【００８２】
読み出しモードを変更しないと判別された場合（ステップＳ１０５；Ｎｏ）、ズーム画像生成部１２４は、ズーム倍率情報と画素加算情報とを取得する。ズーム画像生成部１２４は、画像を１．５倍に拡大する処理を画素加算情報に施す。さらに、ズーム画像生成部１２４は、基準画像を１．５倍に拡大したズーム画像情報を生成する（ステップＳ１０６）。
【００８３】
ズーム画像情報の生成方法について説明する（ズーム倍率１．５倍）。本実施形態でのズーム画像は、基準画像と同様に、横２０００画素×縦１５００画素で表される。
【００８４】
ズーム画像生成部１２４は、拡大する領域（図１５：点線１２９で囲む矩形領域）の画素の画素値を求める。ズーム画像生成部１２４は、その画素値を求めるための情報を、画素加算情報から引き出す。ズーム倍率が１．５倍の場合、ズーム画像生成部１２４は、中央の領域（横２６６６画素×縦２０００画素）の画素の情報を画素加算情報（図１４）から引き出す。
【００８５】
ズーム画像生成部１２４は、画素加算情報から引き出した情報に、現像処理と画像を１．５倍に拡大する処理とを施す。これによって、ズーム画像生成部１２４は、横２０００画素×縦１５００画素の画素を含むズーム画像情報（図１７）を生成する。
【００８６】
画像を拡大する処理には、例えば、バイリニア又はバイキュービック等のアルゴリズムが採用される。また、高画質な拡大画像を得るために、Ｌａｎｃｚｏｓ又はＢ−スプラインのアルゴリズムが採用されてもよい。
【００８７】
表示制御部１２６は、ズーム画像情報を取得する。表示制御部１２６は、取得したズーム画像情報によるズーム画像を表示部１０３に表示させる（図８：ステップＳ１０７、図１８）。
【００８８】
倍率決定受付部１１５、終了受付部１１４が、それぞれ倍率決定情報、終了指示情報を受け付けない場合（ステップＳ１０８；Ｎｏ、ステップＳ１０９；Ｎｏ）、撮影処理は、倍率変更判断処理（ステップＳ１０３）に戻る。
【００８９】
ズーム倍率が１．９倍から２．０倍に変更された場合を説明する。
【００９０】
モード選択処理（ステップＳ１０４）において、図１６に示すように、算定部１２０は、変更後のズーム倍率を求める（ステップＳ１０４１）。現在のズーム倍率を１．９倍と仮定する。ズーム倍率を０．１倍上げる倍率変更情報を取得した場合、算定部１２０は、変更後のズーム倍率を２．０倍と求める（ステップＳ１０４１）。
【００９１】
比較部１２１は、変更後のズーム倍率が２．０倍である場合、ズーム倍率が２以上と判別する（ステップＳ１０４２；Ｙｅｓ）。ズーム倍率が２以上と判別された場合（ステップＳ１０４２；Ｙｅｓ）、選択部１２２は、変更後の読み出しモードとして切り出しモードを選択する。その後、選択部１２２は、変更後の読み出しモード情報を生成する（ステップＳ１０４４）。
【００９２】
モード切替判別部１１２は、変更前の読み出しモード（ズーム倍率１．９倍）と変更後の読み出しモードとが異なるので、読み出しモードを変更すると判別する（図８：ステップＳ１０５；Ｙｅｓ）。読み出しモードを変更すると判別された場合（ステップＳ１０５；Ｙｅｓ）、制御部１０８は、モード切替処理（ステップＳ１１０）を実行する。図１９は、モード切替処理（ステップＳ１１０）を示す。
【００９３】
切替画像生成部１２５は、切替画像情報を生成する（ステップＳ１１０１）。表示制御部１２６は切替画像情報を取得する。また、表示制御部１２６は切替画像を表示部１０３に表示させる（ステップＳ１１０２）。図２０は、切替画像を示す。この切替画像は、読み出しモードの変更が判別される前のズーム画像情報（１、９倍に拡大したズーム画像情報）に、フェードアウト処理を施した画像である。フェードアウト処理では、表示画像の明るさが次第に低下して消滅する。
【００９４】
切替画像は、切替処理が実行される間、表示部１０３に表示される。切替画像の表示により、表示部１０３の表示は停止しない。
【００９５】
モード設定部１１７は、変更後の読み出しモード情報をモード切替判別部１１２から取得する。モード設定部１１７は、その変更後の読みだしモード情報から、変更後の読み出しモードを設定する（図１９：ステップＳ１１０３）。変更後の読み出しモードが切り出しモードの場合（ステップＳ１１０３；切り出しモード）、モード設定部１１７は、読み出しモードを切り出しモードに設定する（ステップＳ１１０４）。切り出し部１１９は、切り出しモードでセンサ情報を読み出す。切り出し部１１９は、読み出したセンサ情報から、切り出し情報を生成する（ステップＳ１１０５）。これにより、制御部１０８は、モード切替処理（ステップＳ１１０）を終了する。
【００９６】
切り出し情報は、撮像センサ１０５の予め定められた中央の領域に含まれる各画素の情報である。本実施形態に係る切り出し情報は、図２１に示すように、センサ情報（図３）の中央に位置する横４０００画素×縦３０００画素の情報である。図２２は、この切り出し情報に現像処理を施した切り出し画像と基準画像との関係を示す。切り出し画像は、横４０００画素×縦３０００画素で表される基準画像の一部を構成する。また、切り出し画像は、基準画像の中央に位置する横２０００画素×縦１５００画素の領域を占める。図２３は、この切り出し画像を示す。切り出し画像は、基準画像を２倍に拡大したズーム画像に相当する。
【００９７】
ズーム画像生成部１２４は、ズーム倍率情報と切り出し情報とを取得する（図８）。ズーム画像生成部１２４は、切り出し情報に現像処理を施す。ズーム画像生成部１２４は、現像処理により、基準画像を２．０倍に拡大したズーム画像情報を生成する（ステップＳ１０６）。表示制御部１２６は、ズーム画像情報を取得する。表示制御部１２６は、その取得したズーム画像情報によるズーム画像を表示部１０３に表示させる（ステップＳ１０７、図２４）。
【００９８】
倍率決定受付部１１５、終了受付部１１４が、それぞれ倍率決定情報、終了指示情報を受け付けない場合（ステップＳ１０８；Ｎｏ、ステップＳ１０９；Ｎｏ）、撮影処理は、倍率変更判断処理（ステップＳ１０３）に戻る。
【００９９】
ズーム倍率が２．０倍から４．０倍に変更される場合を説明する。この場合、モード選択部１１１は、変更後の読み出しモードとして切り出しモードを選択する（ステップＳ１０４）。モード切替判別部１１２は、ズーム倍率を変更する前後で読み出しモードが同じであるので、読み出しモードを変更しないと判別する（ステップＳ１０５；Ｎｏ）。ズーム画像生成部１２４は、ズーム倍率情報と切り出し情報からズーム画像情報を生成する（ステップＳ１０６）。
【０１００】
ズーム画像生成部１２４は、拡大する領域（図２３：点線１３１で囲む矩形領域）の画素の画素値を求める。ズーム画像生成部１２４は、その画素値を求めるための情報を、切り出し情報から引き出す。ズーム倍率が４倍の場合、ズーム画像生成部１２４は、中央の領域（横２０００画素×縦１５００画素）の画素の情報を切り出し情報から引き出す。
【０１０１】
次に、ズーム画像生成部１２４は、切り出し情報から引き出した情報に、現像処理と画像を２倍に拡大する処理とを施す。これによって、ズーム画像生成部１２４は、横２０００画素×縦１５００画素のズーム画像情報（図２５）を生成する。
【０１０２】
切り出し画像は、上述のように、基準画像を２倍に拡大した画像に相当するので、切り出しモードでは、拡大処理の倍率は小さい。したがって、切り出しモードは、拡大処理によるぼやけ、ジャギー等の画像劣化を低減できる。また、切り出し情報から引き出した情報は、センサ情報の一部であるので、切り出しモードは高精細な画像を表せる。
【０１０３】
表示制御部１２６は、ズーム画像情報を取得する。表示制御部１２６は、その取得したズーム画像情報によるズーム画像を表示部１０３に表示させる（図８：ステップＳ１０７、図２６）。
【０１０４】
倍率決定受付部１１５、終了受付部１１４が、それぞれ倍率決定情報、終了指示情報を受け付けない場合（ステップＳ１０８；Ｎｏ、ステップＳ１０９；Ｎｏ）、撮影処理は、倍率変更判断処理（ステップＳ１０３）に戻る。
【０１０５】
ＤＯＷＮキー１０２ｂの押下によって、ズーム倍率が２．０倍から１．９倍に変更される場合を説明する。モード選択部１１１は、変更後の読み出しモードとして画素加算モードを選択する（図８：ステップＳ１０４）。モード切替判別部１１２は、ズーム倍率を変更する前後で読み出しモードが異なるので、読み出しモードを変更すると判別する（ステップＳ１０５；Ｙｅｓ）。
【０１０６】
読み出しモードを変更すると判別された場合（ステップＳ１０５；Ｙｅｓ）、制御部１０８は、モード切替処理（ステップＳ１１０）を実行する。図１９に示すように、切替画像生成部１２５は、切替画像情報を生成する（ステップＳ１１０１）。表示制御部１２６は、切替画像情報を取得する。表示制御部１２６は、その取得した切替画像情報による切替画像を表示部１０３に表示させる（ステップＳ１１０２）。この切替画像は、読み出しモードの変更が判別される前のズーム画像情報（２．０倍に拡大したズーム画像情報）にフェードアウト処理を施した画像である。
【０１０７】
モード設定部１１７は、変更後の読み出しモード情報から、変更後の読み出しモードとして画素加算モードを設定する（図１９：ステップＳ１１０６）。画素加算部１１８は、画素加算モードでセンサ情報を読み出す。画素加算部１１８は、その読み出したセンサ情報から、画素加算情報を生成する（ステップＳ１１０７）。これにより、制御部１０８は、モード切替処理（ステップＳ１１０）を終了する。
【０１０８】
ズーム画像生成部１２４は、ズーム倍率情報と画素加算情報とを取得する（図８）。ズーム画像生成部１２４は、画像を１．９倍に拡大する処理を、取得した画素加算情報に施す。そして、ズーム画像生成部１２４は、基準画像を１．９倍に拡大処理したズーム画像情報を生成する（ステップＳ１０６）。表示制御部１２６は、ズーム画像情報を取得する。表示制御部１２６は、その取得したズーム画像情報によるズーム画像を表示部１０３に表示させる（ステップＳ１０７）。
【０１０９】
以上のように、ユーザは、ＵＰキー１０２ａ又はＤＯＷＮキー１０２ｂを押下することによって、ズーム倍率を変更できる。ユーザは、携帯電話１０１の表示部１０３のズーム画像（図１、１８、２４、２６）を見ながら、所望のズーム倍率で決定キー１０２ｃを押下する。決定キー１０２ｃの押下によって、倍率決定受付部１１５は倍率決定情報を受け付ける（ステップＳ１０８；Ｙｅｓ）。倍率決定情報が受け付けられた場合（ステップＳ１０８；Ｙｅｓ）、圧縮部１２７は、ズーム画像生成部１２４によって生成されたズーム画像情報に圧縮処理、リサイズ処理を施す。その後、圧縮部１２７は圧縮処理後の情報をメモリ１０６に格納する（ステップＳ１１１）。
【０１１０】
格納処理（ステップＳ１１１）の後、終了受付部１１４は、終了判断処理（ステップＳ１０９）を実行する。また、倍率変更受付部１１６が倍率変更情報を受け付けない場合（ステップＳ１０３；Ｎｏ）、終了受付部１１４は、終了判断処理（ステップＳ１０９）を実行する。終了受付部１１４が終了指示情報を受け付けない場合（ステップＳ１０９；Ｎｏ）、撮影処理は倍率変更判断処理（ステップＳ１０３）に戻る。終了受付部１１４が終了指示情報を受け付けた場合（ステップＳ１０９；Ｙｅｓ）、終了受付部１１４は撮影処理を終了する。
【０１１１】
第１実施形態によれば、ＵＰキー１０２ａが押下された場合、表示部１０３には基準画像（図１）から次第に拡大されたズーム画像（図１８、２４、２６）が表示される。ＤＯＷＮキー１０２ｂが押下された場合、表示部１０３の画像は、逆の経過をたどって次第に小さくなり、基準画像に戻る。
【０１１２】
図２７は、本実施形態におけるズーム倍率の変化と時間との関係を示す。図２７の横軸は、ＵＰキー１０２ａを押下している時間を表す。縦軸はズーム倍率を表す。ズーム倍率が変化する速さは、携帯電話１０１の性能に依存する。図２７では、ＵＰキー１０２ａの押下から２秒後にズーム倍率が２倍に達する。図２７では、変更後の読み出しモードによるズーム画像情報が生成されるまで３秒かかる。また、ズーム倍率が２倍から４倍になるまで４秒かかる。
【０１１３】
図２７に示すように、読み出しモードの変更から、ズーム画像情報が生成されるまでの３秒間、表示部１０３には切替画像が表示される。これにより、表示部１０３の表示は停止しない。
【０１１４】
以上、本発明の第１実施形態について説明したが、本実施形態の具体的な態様はこれに限られない。
【０１１５】
携帯電話１０１は、携帯端末装置の例である。携帯端末装置は、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）でもよい。また、携帯電話が備えるカメラは、撮像装置の例である。撮像装置は一眼レフカメラ、コンパクトカメラ、ビデオカメラ、ＰＣ（Ｐｅｒｓｏｎａｌ  Ｃｏｍｐｕｔｅｒ）に備えられてもよい。
【０１１６】
また、表示部１０３は、ＱＶＧＡ(３２０×２４０×ＲＧＢ)、ＶＧＡ（６４０×４８０×ＲＧＢ）、ワイドＶＧＡ（８００×４８０×ＲＧＢ）、フルワイドＶＧＡ（８５４×４８０×ＲＧＢ）などの液晶ディスプレイで構成されてもよい。また、表示部１０３は、有機ＥＬ（Ｅｌｅｃｔｒｏ  Ｌｕｍｉｎｅｓｃｅｎｃｅ）ディスプレイで構成されてもよい。
【０１１７】
本実施形態では、低減読み出し手段として画素加算アルゴリズム（画素加算モード）による読み出しを用いたが、低減読み出し手段はこれに限られない。
【０１１８】
間引きアルゴリズム（間引きモード）が低減読み出し手段に採用できる。間引きアルゴリズムは、撮像センサ１０５の画素配列の画素を所定の間隔で間引くことによって、画素数を低減する。すなわち、間引きモードでは、撮像センサ１０５の画素配列において、横方向にＭ個毎にセンサ情報を読み出す。なお、Ｍ個毎に複数の画素のセンサ情報が読み出されてもよい。また、Ｍは一定でなくともよい。
【０１１９】
切替画像生成部１２５がトランシジョン処理を施す画像情報は、読み出しモードの変更が判別される前のズーム画像に限られない。切替画像生成部１２５がトランシジョン処理を施す画像情報は、読み出しモード変更までに生成されたズーム画像情報、または基準画像情報でもよい。また、切替画像生成部１２５がトランシジョン処理を施す画像情報は、メモリ１０６に予め記憶された静止画像又は動画像を表す画像情報でもよい。さらに、切替画像生成部１２５が、メモリ１０６に予め記憶させた静止画像又は動画像を表す切替画像情報を取得してもよい。
【０１２０】
読み出しモードを変更する閾値は２に限られない。閾値は任意の値でよい。切り出し情報の画素数は、本実施形態のように、センサ情報に含まれる縦方向及び横方向それぞれの画素数に閾値の逆数を乗じた画素数であることが望ましい。これによって、切り出し情報を現像処理した画像は、閾値に等しいズーム倍率で基準画像を拡大した画像となる。そのため、ズーム画像生成部１２４は、閾値に等しいズーム倍率のズーム画像を容易に生成できる。したがって、切替処理の時間は短い。
【０１２１】
（第２実施形態）
第２実施形態は、ズーム倍率を設定する方法が第１実施形態と異なる。具体的には、ズーム倍率は、表示部１０３に表示された基準画像に対するユーザの指示によって、設定される。
【０１２２】
図２８は、第２実施形態に係る携帯電話２０１の外観を示す。携帯電話２０１では、基準画像内にズーム領域枠２３２（図２８：点線）が表示される。
【０１２３】
ズーム領域枠２３２の中心は、基準画像の中心に位置する。また、ズーム領域枠２３２は、基準画像と同一のアスペクト比を有する矩形領域を囲む。ユーザは、キーボタン１０２ａ〜１０２ｃの押下によって、ズーム領域枠２３２の大きさを変更する。ここで、１０２ａの押下はズーム領域枠２３２を拡大する。また、１０２ｂの押下はズーム領域枠２３２を縮小する。ズーム倍率は、基準画像に対するズーム領域枠２３２の大きさの割合の逆数として求められる。
【０１２４】
図２９は、第２実施形態に係る携帯電話２０１の構成を示す。
【０１２５】
携帯電話２０１は、領域生成部２３３を備える。また、携帯電話２０１は、第１実施形態の入力受付部１０９、モード選択部１１１、表示制御部１２６の代わりに、入力受付部２０９、モード選択部２１１、表示制御部２２６を備える。
【０１２６】
本実施形態では、入力受付部２０９、モード選択部２１１、表示制御部２２６、領域生成部２３３が第１実施形態と異なるので、これらについて説明する。その他の要素についての説明は省略する。
【０１２７】
図３０は、第２実施形態に係る入力受付部２０９の構成を示す。図３０に示すように、入力受付部２０９は、起動受付部１１３と、終了受付部１１４と、領域変更受付部２３４と、領域決定受付部２３５とを備える。
【０１２８】
本実施形態の起動受付部１１３、終了受付部１１４は、第１実施形態の起動受付部１１３、終了受付部１１４（図５）と同様である。起動受付部１１３、終了受付部１１４についての説明は省略する。
【０１２９】
領域変更受付部２３４は、ズーム領域枠２３２の大きさの変更を示す領域変更情報を受け付ける。
【０１３０】
領域決定受付部２３５は、ズーム領域枠２３２の大きさを選択する。また、領域決定受付部２３５は、ズーム領域枠２３２で囲まれた領域内の撮影画像を記録する領域決定情報を受け付ける。
【０１３１】
指示情報は、第１実施形態と同様に、１０２ａ〜１０２ｃのキーボタンに対応する。
【０１３２】
例えば、ユーザが拡大キー１０２ａを押下した場合、領域変更受付部２３４は、ズーム領域枠２３２を大きくする領域変更情報（ズームダウン）を受け付ける。また、ユーザが縮小キー１０２ｂを押下した場合、領域変更受付部２３４は、ズーム領域枠２３２を小さくする領域変更情報（ズームアップ）を受け付ける。
【０１３３】
領域生成部２３３は、領域変更情報から、ズーム領域枠２３２を表す指示領域情報を生成する（図２９）。すなわち、指示領域情報は、大きさを変更したズーム領域枠２３２を表す。
【０１３４】
表示制御部２２６は、基準画像と、ズーム領域枠２３２とを表示部１０３に表示させる。
【０１３５】
モード選択部２１１は、第１実施形態のモード選択部１１１と同様に、ズーム倍率と閾値から、読み出しモードとして画素加算モードと切り出しモードのいずれかを選択する。
【０１３６】
図３１は、第２実施形態に係るモード選択部２１１の構成を示す。モード選択部２１１は、算定部２２０と、比較部１２１と、選択部１２２とを備える。
【０１３７】
比較部１２１、選択部１２２は、第１実施形態の比較部１２１、選択部１２２（図７）と同様である。比較部１２１、選択部１２２についての説明は省略する。
【０１３８】
領域決定受付部２３５が領域決定情報を受け付けた場合、算定部２２０は、ズーム領域枠２３２の大きさからズーム倍率を求める。具体的には、算定部２２０は、表示部１０３の基準画像の大きさに対するズーム領域枠２３２の大きさの割合の逆数をズーム倍率として求める。
【０１３９】
次に、本実施形態に係る携帯電話２０１の撮影処理について、説明する。
【０１４０】
図３２は、携帯電話２０１における撮影処理のフローチャートである。本実施形態の起動判断処理（ステップＳ１０１）、撮影開始処理（ステップＳ１０２）は、第１実施形態の起動判断処理、撮影開始処理（図８）と同様である。これらの処理の説明は省略する。
【０１４１】
領域変更受付部２３４が領域変更情報を受け付けた場合（ステップＳ２０１；Ｙｅｓ）、領域生成部２３３は、指示領域情報を生成する（ステップＳ２０２）。
【０１４２】
指示領域情報は、変更後の大きさのズーム領域枠２３２を表す。
【０１４３】
例えば、領域変更受付部２３４が、拡大キー１０２ａが１度押下された領域変更情報を受け付ける。この場合、領域生成部２３３は現在のズーム領域枠２３２より１段階分大きいズーム領域枠２３２の指示領域情報を生成する。また、縮小キー１０２ｂが１度押下された場合、領域生成部２３３は、現在のズーム領域枠２３２より１段階分小さいズーム領域枠２３２の指示領域情報を生成する。
【０１４４】
拡大キー１０２ａが継続して押下された場合、領域生成部２３３は、押下された時間に応じて段階的にズーム領域枠２３２を大きくする指示領域情報を順次生成する。具体的には、領域生成部２３３は、拡大キー１０２ａが継続して押下された場合、押下された時間に比例してズーム領域枠２３２を段階的に大きくする指示領域情報を順次生成する。また、領域生成部２３３は、押下された時間に対して加速度的に、ズーム領域枠２３２を大きくする指示領域情報を順次生成してもよい。また、縮小キー１０２ｂが継続して押下された場合、領域生成部２３３は、押下された時間に応じて段階的にズーム領域枠２３２を小さくする指示領域情報を順次生成する。
【０１４５】
例えば、表示部の表示画素数が横６４０×縦４８０の場合、ズーム領域枠２３２の１段階分の大きさは横方向に８画素、縦方向に６画素に設定される。１段階分の大きさは、０．１倍のズーム倍率に相当する大きさでもよい。
【０１４６】
表示制御部１２６は、指示領域情報を取得する。また、表示制御部１２６は、その指示領域情報のズーム領域枠２３２を表示部１０３に表示させる（ステップＳ２０３）。
【０１４７】
領域決定受付部２３５が領域決定情報を受け付けない場合（ステップＳ２０４；Ｎｏ）、領域変更受付部２３４は、領域変更判断処理（ステップＳ２０１）を継続する。
【０１４８】
領域決定受付部２３５が領域決定情報を受け付けた場合（ステップＳ２０４；Ｙｅｓ）、モード選択部１１１は、モード選択処理（ステップＳ２０５）を実行する。
【０１４９】
図３３は、第２実施形態に係るモード選択処理（ステップＳ２０５）を示す。
【０１５０】
算定部１２０は、領域が選択されたズーム領域枠２３２と基準画像から、ズーム倍率を求める（ステップＳ２０５１）。
【０１５１】
算定部１２０は、領域が選択されたズーム領域枠２３２の大きさを表す情報を取得する。
【０１５２】
算定部１２０は表示されている基準画像の表示領域の大きさを表す情報を表示制御部２２６又はメモリ１０６から取得する。具体的には、基準画像の表示領域の大きさは、表示部１０３の画素数（横６４０×縦４８０）により表される。
【０１５３】
算定部１２０は、基準画像の表示領域の大きさに対するズーム領域枠２３２の大きさの割合の逆数をズーム倍率として求める。そして、算定部１２０は、求めたズーム倍率のズーム倍率情報を生成する。
【０１５４】
例えば、基準画像の表示領域の大きさには、表示部１０３の横方向の表示画素数６４０個が採用される。また、ズーム領域枠２３２の大きさには、ズーム領域枠２３２の横方向の画素数が採用される。ズーム領域枠２３２の横方向の画素数が４２７画素の場合、ズーム倍率は、１．５倍と求められる（小数第２位四捨五入）。また、ズーム領域枠２３２の横方向の画素数が１６０画素の場合、ズーム倍率は４倍と求められる。
【０１５５】
比較部１２１は、第１実施形態と同様に求められたズーム倍率が閾値（２）以上であるか否かを判別する（ステップＳ１０４２）。選択部１２２は、比較部１２１の判別結果から、読み出しモードとして画素加算モードと切り出しモードのいずれかを選択する（ステップＳ１０４３，Ｓ１０４４）。各処理（ステップＳ１０４２〜Ｓ１０４４）は、第１実施形態と同様である。これらの処理の説明は省略する。
【０１５６】
ズーム画像生成部１２４はズーム画像情報を生成する（図３２：ステップＳ１０６）。圧縮部１２７は、圧縮処理後の情報をメモリ１０６に格納する（ステップＳ１１１）。各処理（ステップＳ１０６，Ｓ１１１）は、第１実施形態と同様である。これらの処理の説明は省略する。
【０１５７】
格納処理（ステップＳ１１１）の後、終了受付部１１４は、終了判断処理（ステップＳ１０９）を実行する。また、領域変更受付部２３４が領域変更情報を受け付けない場合（ステップＳ２０１；Ｎｏ）、終了受付部１１４は、終了判断処理（ステップＳ１０９）を実行する。終了判断処理（ステップＳ１０９）は第１実施形態と同様である。終了判断処理（ステップＳ１０９）の説明は省略する。これにより、撮影処理は終了する。
【０１５８】
本実施形態によれば、ズーム倍率は、段階的に変更されるのではなくズーム領域枠２３２の大きさから求められる。そして、ズーム画像生成部１２４は、求められたズーム倍率からズーム画像情報を生成する。そのため、ズーム倍率を変更している間に、読み出しモードは変わらない。したがって、本実施形態によれば、ズーム画像情報を短時間で生成できる。
【０１５９】
例えば、読み出しモードが画素加算モードから切り出しモードに変更される。ズーム画像情報の生成が３秒かかると仮定する。基準画像が表示された２秒後に、ズーム倍率４倍のズーム領域枠２３２が選択される。この場合、４倍のズーム画像情報は５秒後に生成される。そして、そのズーム画像が表示部１０３に表示される。このように、読み出しモードが変更された場合であっても、ズーム画像情報は短時間で生成される。
【０１６０】
したがって、ズーム画像は短時間で表示部１０３に表示されるので、表示の停止は起きにくい。
【０１６１】
以上、本発明の第２実施形態について説明したが、本実施形態の具体的な態様はこれに限られない。
【０１６２】
例えば、本実施形態では、ズーム領域枠２３２は、点線の枠としたが、ズーム領域枠２３２はこれに限られない。ズーム領域枠２３２は、ズーム領域枠２３２の内部と外部で、色合い、又は透過率を変えて表示部１０３に表示されてもよい。また、ズーム領域枠２３２の内部のみの等倍画像又はズーム領域枠２３２の内部を拡大した画像が表示部１０３に表示されてもよい。
【０１６３】
ズーム倍率は、選択後、変更されてもよい。変更後のズーム倍率は、任意の範囲に設定されてよい。ただし、変更後のズーム倍率は、読み出しモードが変更されない範囲に制限するのが望ましい。
【０１６４】
これによって、読み出しモードの変更を抑制できるので、ズーム画像生成部１２４は、変更後のズーム画像情報を短時間で生成できる。
【０１６５】
３種類以上の読み出しモードがズーム倍率に応じて設定されてもよい。
【０１６６】
具体的には、ズーム倍率が１倍以上２倍未満である場合に画素加算モードが採用される。ズーム倍率が２倍以上３倍未満である場合に第１切り出しモードが採用される。さらに、ズーム倍率が３倍以上である場合に第２切り出しモードが採用される。
【０１６７】
第１切り出しモードは、横４０００個×縦３０００個の画素の情報をセンサ情報から引き出す。また、第２切り出しモードは、横２６６７×縦２０００個の画素の情報をセンサ情報から引き出す。
【０１６８】
ユーザが４倍のズーム領域枠２３２を選択した場合、読み出しモードは、基準画像情報を生成する画素加算モードから第２切り出しモードに変更される。
【０１６９】
このように、ズーム倍率が高倍率であっても、読み出しモードの変更は１回でよい。そのため、ズーム画像情報を短時間で生成できる。
【０１７０】
（第３実施形態）
本発明の第３実施形態に係る携帯電話３０１は、図３４に示すように、入力部としてタッチパネル３０２をさらに備える。タッチパネル３０２は、表示部１０３（表示画面）における接触を検出する。そして、タッチパネル３０２は、検出結果から、接触情報を生成する。ここで、接触情報は接触が検出された表示画面上の位置を表す。タッチパネル３０２は、表示部１０３に重ねて配置された抵抗膜、電位を検知するセンサなどから構成される。
【０１７１】
ユーザは、図３４に示すように、基準画像の任意の位置にズーム領域枠３３２を指定できる。ユーザは、例えば、指先で、タッチパネル３０２上をなぞる。そのなぞった軌跡に応じたズーム領域枠２３２が指定される。
【０１７２】
図３５は、第３実施形態に係る携帯電話３０１の構成を示す。
【０１７３】
携帯電話３０１は、第２実施形態の入力受付部２０９、領域生成部２３３（図２９）の代わりに、入力受付部３０９、領域生成部３３３を備える。
【０１７４】
携帯電話３０１のその他の要素は、第２実施形態の要素と同様である。ここでは、入力受付部３０９と領域生成部３３３について説明する。
【０１７５】
図３６は、本実施形態に係る入力受付部３０９の構成を示す。図３６に示すように、入力受付部３０９は、起動受付部１１３と、終了受付部１１４と、領域指示受付部３３６と、領域決定受付部２３５とを備える。
【０１７６】
起動受付部１１３と終了受付部１１４と領域決定受付部２３５は、第２実施形態における起動受付部１１３，終了受付部１１４，領域決定受付部２３５（図３０）と同様である。これらの説明は省略する。
【０１７７】
領域指示受付部３３６は、タッチパネル３０２から接触情報を受け付ける。接触情報は、ユーザがタッチパネル３０２（表示部１０３）をなぞった軌跡を表す。その軌跡は、所定の条件を満たす軌跡に制限されてもよい。例えば、その軌跡は表示画面内の閉じた領域を囲む軌跡に限られる。
【０１７８】
領域生成部３３３は、接触情報から、ズーム領域枠２３２を表す指示領域情報を生成する（図３５）。
【０１７９】
指示領域情報は、軌跡に応じた位置と大きさのズーム領域枠２３２を表す。ズーム領域枠２３２は、定められた方法で領域生成部３３３によって近似されてもよい。
【０１８０】
次に、本実施形態の撮影処理について説明する。
【０１８１】
図３７は、第３実施形態に係る撮影処理のフローチャートである。
【０１８２】
図３７に示すように、本実施形態に係る撮影処理は、第２実施形態の領域変更判断処理（ステップＳ２０１）、指示領域生成（ステップＳ２０２）の代わりに、領域指示判断処理（ステップＳ３０１）、指示領域生成（ステップＳ３０２）を含む。本実施形態のその他の各処理は、第２実施形態の処理と同様である。領域指示判断処理（ステップＳ３０１）、指示領域生成（ステップＳ３０２）について説明する。その他の処理の説明は省略する。
【０１８３】
領域指示受付部３３６が接触情報を受け付けた場合（ステップＳ３０１；Ｙｅｓ）、領域生成部３３３は、指示領域情報を生成する（ステップＳ３０２）。接触情報が閉じた軌跡を表す場合、領域生成部３３３は、指示領域情報を生成する。例えば、そのズーム領域枠２３２は、軌跡の縦方向の最大値、横方向の最大値を、それぞれ縦幅、横幅とする矩形に近似される。また、そのズーム領域枠２３２は、ズーム領域枠２３２の重心が軌跡の重心と一致するよう位置づけられる。
【０１８４】
また、領域指示受付部３３６が接触情報を受け付けない場合（ステップＳ３０１；Ｎｏ）、終了受付部１１４は終了判断処理（ステップＳ１０９）を実行する。
【０１８５】
本実施形態によれば、ユーザは基準画像の所望の領域をズーム領域枠２３２として指定できる。本実施形態によれば、第２実施形態が奏する効果に加えて、ユーザが所望する領域を所望のズーム倍率で拡大できる。
【０１８６】
以上、本発明の第３実施形態について説明したが、本実施形態の具体的な態様はこれに限られない。
【０１８７】
例えば、接触情報の条件は、閉じた領域を囲む軌跡に限られない。
【０１８８】
接触情報の条件は、表示画面内の２点でもよい。指示領域情報は、図３８に示すように、接触情報が表す２点（３３７ａ，３３７ｂ）を対角線に含む矩形のズーム領域枠３３２を表してもよい。また、指示領域情報は、図３９に示すように、接触情報が表す２点（３３８ａ，３３８ｂ）をズーム領域枠３３２の一辺とした一定のアスペクト比を有するズーム領域枠３３２を表してもよい。さらに、その一辺の長さは、タッチパネル３０２をなぞることによって調整されてもよい。
【０１８９】
このように、タッチパネル３０２を含むことにより、本実施形態は、ズーム領域枠３３２を指定する種々の方法を採用できる。本実施形態によれば、ユーザの利便性を向上できる。
【０１９０】
制御部１０８、読み出し部１１０等から構成される撮像装置のための処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する撮像装置を構成してもよい。また、インターネット等の通信ネットワーク上のサーバ装置が有する記憶装置に当該コンピュータプログラムを格納しておき、通常のコンピュータシステムがダウンロード等することで撮像装置を構成してもよい。撮像装置の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。また、搬送波にコンピュータプログラムを重畳し、通信ネットワークを介して配信することも可能である。たとえば、通信ネットワーク上の掲示板（ＢＢＳ：Ｂｕｌｌｅｔｉｎ  Ｂｏａｄ  Ｓｙｓｔｅｍ）に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
また、上記実施形態の一部又は全ては、以下の付記のようにも記載されうるが、以下には限られない。
【０１９１】
（付記１）
Ｎ個（Ｎは３以上の整数）の画素を備える撮像センサと、
前記撮像センサのＮ個の画素について、Ｍ個（ＭはＮ未満２以上の整数）の画素毎に、入射光の強度を示すセンサ情報を読み出す低減読み出し手段と、
前記撮像センサのＮ個の画素のうちの、特定領域内の各画素から、その画素への入射光の強度を示すセンサ情報を読み出す領域読み出し手段と、
ユーザの指示に応じてズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段と、
前記モード選択手段によって選択される読み出しモードを変更するか否か判別する切替判別手段と、
前記切替判別手段によって読み出しモードを変更すると判別された場合に、予め設定される切替画像を表す切替画像情報を生成する切替画像生成手段と、
前記低減モードでセンサ情報を読み出す場合には、前記低減読み出し手段によって読み出された前記センサ情報が表す低減画像を表示させ、前記領域モードでセンサ情報を読み出す場合には、前記領域読み出し手段によって読み出された前記センサ情報が表す領域画像を表示させ、前記切替画像生成手段によって生成された切替画像情報が表す切替画像を、前記低減画像と前記領域画像の一方から他方へ変更する間に、表示させる表示制御手段とを備える、
ことを特徴とする撮像装置。
【０１９２】
（付記２）
前記切替画像生成手段は、前記切替判別手段により読み出しモードを変更すると判別された場合に、変更後の読み出しモードに対応する前記低減読み出し手段又は前記領域読み出し手段により読み出された前記センサ情報が表す画像が前記表示制御手段によって表示されるまでの間、予め設定される切替画像を表す切替画像情報を生成する、
ことを特徴とする付記１に記載の撮像装置。
【０１９３】
（付記３）
前記切替画像生成手段は、前記低減読み出し手段又は前記領域読み出し手段によって前記切替判別手段による読み出しモードの変更の判別以前に読み出されたセンサ情報から、切替画像情報を生成する、
ことを特徴とする付記１又は２に記載の撮像装置。
【０１９４】
（付記４）
Ｎ個（Ｎは３以上の整数）の画素を備える撮像センサと、
表示手段に表示された画像に対してユーザが指定する領域を表す情報を受け付ける領域受付手段と、
前記撮像センサのＮ個の画素について、Ｍ個（ＭはＮ未満２以上の整数）の画素毎に、入射光の強度を示すセンサ情報を読み出す低減読み出し手段と、
前記撮像センサのＮ個の画素のうちの、特定領域内の各画素から、その画素への入射光の強度を示すセンサ情報を読み出す領域読み出し手段と、
前記表示手段に表示された画像の大きさと前記領域受付手段によって受け付けられた情報が表す領域の大きさからズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段と、
前記低減読み出し手段によって読み出された前記センサ情報、又は前記領域読み出し手段によって読み出された前記センサ情報から、前記求めたズーム倍率に応じたズーム画像情報を生成するズーム画像生成手段と、
前記ズーム画像情報が表すズーム画像を前記表示手段に表示させる表示制御手段とを備える、
ことを特徴とする撮像装置。
【０１９５】
（付記５）
キー又はタッチパネルで構成される入力手段を備え、
前記領域受付手段は、前記入力手段へのユーザの操作に応じて、前記表示手段に表示された画像に対してユーザが指定する領域を受け付ける、
ことを特徴とする付記４に記載の撮像装置。
【０１９６】
（付記６）
前記モード選択手段は、前記ズーム倍率が閾値未満である場合に、前記低減モードを選択し、前記ズーム倍率が閾値以上である場合に、前記領域モードを選択する、
ことを特徴とする付記１乃至５のいずれか１に記載の撮像装置。
【０１９７】
（付記７）
前記ズーム倍率は、前記低減読み出し手段によって読み出される前記センサ情報の全部から生成される画像を基準として求められる、
ことを特徴とする付記１乃至６のいずれか１に記載の撮像装置。
【０１９８】
（付記８）
撮像センサのＮ個（Ｎは３以上の整数）の画素について、Ｍ個（ＭはＮ未満２以上の整数）の画素毎に、入射光の強度を示すセンサ情報を読み出す低減読み出し手段、
前記撮像センサのＮ個の画素のうちの、特定領域内の各画素から、その画素への入射光の強度を示すセンサ情報を読み出す領域読み出し手段、
ユーザの指示に応じてズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段、
前記モード選択手段によって選択される読み出しモードを変更するか否か判別する切替判別手段、
前記切替判別手段によって読み出しモードを変更すると判別された場合に、予め設定される切替画像を表す切替画像情報を生成する切替画像生成手段、
前記低減モードでセンサ情報を読み出す場合には、前記低減読み出し手段によって読み出された前記センサ情報が表す低減画像を表示させ、前記領域モードでセンサ情報を読み出す場合には、前記領域読み出し手段によって読み出された前記センサ情報が表す領域画像を表示させ、前記切替画像生成手段によって生成された切替画像情報が表す切替画像を、前記低減画像と前記領域画像の一方から他方へ変更する間に、表示させる表示制御手段としてコンピュータを機能させる、
ことを特徴とするプログラムを記録したコンピュータ読み取り可能な記録媒体。
【０１９９】
（付記９）
表示手段に表示された画像に対してユーザが指定する領域を表す情報を受け付ける領域受付手段、
撮像センサのＮ個（Ｎは３以上の整数）の画素について、Ｍ個（ＭはＮ未満２以上の整数）の画素毎に、入射光の強度を示すセンサ情報を読み出す低減読み出し手段、
前記撮像センサのＮ個の画素のうちの、特定領域内の各画素から、その画素への入射光の強度を示すセンサ情報を読み出す領域読み出し手段、
前記表示手段に表示された画像の大きさと前記領域受付手段によって受け付けられた情報が表す領域の大きさからズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段、
前記低減読み出し手段によって読み出された前記センサ情報、又は前記領域読み出し手段によって読み出された前記センサ情報から、前記求めたズーム倍率に応じたズーム画像情報を生成するズーム画像生成手段、
前記ズーム画像情報が表すズーム画像を前記表示手段に表示させる表示制御手段としてコンピュータを機能させる、
ことを特徴とするプログラムを記録したコンピュータ読み取り可能な記録媒体。
【０２００】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。すなわち、本発明の範囲は、実施の形態ではなく、請求の範囲によって示される。そして、請求の範囲内及びそれと同等の発明の意義の範囲内で施される様々な変形が、本発明の範囲内とみなされる。
【０２０１】
本発明は、２０１１年７月５に出願された日本国特許出願２０１１−１４９５２９号に基づく。本明細書中に日本国特許出願２０１１−１４９５２９号の明細書、特許請求の範囲、図面全体を参照として取り込むものとする。
【産業上の利用可能性】
【０２０２】
本発明は、デジタルズーム機能によってズーム倍率を変更する撮像装置の各分野に利用することができる。
【符号の説明】
【０２０３】
１０１，２０１，３０１  携帯電話
１０２ａ〜１０２ｃ  入力部
１０３  表示部
１０５  撮像センサ
１０６  メモリ
１０８  制御部
１０９，２０９，３０９  入力受付部
１１０  読み出し部
１１１，２１１  モード選択部
１１２  モード切替判別部
１１５  倍率決定受付部
１１６  倍率変更受付部
１１７  モード設定部
１１８  画素加算部
１１９  切り出し部
１２０  算定部
１２１  比較部
１２２  選択部
１２３  基準画像生成部
１２４  ズーム画像生成部
１２５  切替画像生成部
１２６，２２６  表示制御部
２３２，３３２  ズーム領域枠
２３３，３３３  領域生成部
２３４  領域変更受付部
２３５  領域決定受付部
３０２  タッチパネル
３３６  領域指示受付部
【図１】
2013005727.tif 000003
【図２】
2013005727.tif 000004
【図３】
2013005727.tif 000005
【図４】
2013005727.tif 000006
【図５】
2013005727.tif 000007
【図６】
2013005727.tif 000008
【図７】
2013005727.tif 000009
【図８】
2013005727.tif 000010
【図９】
2013005727.tif 000011
【図１０】
2013005727.tif 000012
【図１１】
2013005727.tif 000013
【図１２】
2013005727.tif 000014
【図１３】
2013005727.tif 000015
【図１４】
2013005727.tif 000016
【図１５】
2013005727.tif 000017
【図１６】
2013005727.tif 000018
【図１７】
2013005727.tif 000019
【図１８】
2013005727.tif 000020
【図１９】
2013005727.tif 000021
【図２０】
2013005727.tif 000022
【図２１】
2013005727.tif 000023
【図２２】
2013005727.tif 000024
【図２３】
2013005727.tif 000025
【図２４】
2013005727.tif 000026
【図２５】
2013005727.tif 000027
【図２６】
2013005727.tif 000028
【図２７】
2013005727.tif 000029
【図２８】
2013005727.tif 000030
【図２９】
2013005727.tif 000031
【図３０】
2013005727.tif 000032
【図３１】
2013005727.tif 000033
【図３２】
2013005727.tif 000034
【図３３】
2013005727.tif 000035
【図３４】
2013005727.tif 000036
【図３５】
2013005727.tif 000037
【図３６】
2013005727.tif 000038
【図３７】
2013005727.tif 000039
【図３８】
2013005727.tif 000040
【図３９】
2013005727.tif 000041
【手続補正書】
【提出日】平成25年12月19日(2013.12.19)
【手続補正２】
【補正対象書類名】明細書
【補正対象項目名】０００１
【補正方法】変更
【補正の内容】
【０００１】
本発明は、撮像装置及びプログラムに関する。
【手続補正３】
【補正対象書類名】明細書
【補正対象項目名】０００７
【補正方法】変更
【補正の内容】
【０００７】
本発明は、上記の実情に鑑みてなされたものであり、表示の停止が起きにくい撮像装置及びプログラムを提供することを目的とする。
【手続補正４】
【補正対象書類名】明細書
【補正対象項目名】００１０
【補正方法】変更
【補正の内容】
【００１０】
さらに、本発明の第３の観点に係るプログラムは、
撮像センサのＮ個（Ｎは３以上の整数）の画素について、Ｍ個（ＭはＮ未満２以上の整数）の画素毎に、入射光の強度を示すセンサ情報を読み出す低減読み出し手段、
前記撮像センサのＮ個の画素のうちの、特定領域内の各画素から、その画素への入射光の強度を示すセンサ情報を読み出す領域読み出し手段、
ユーザの指示に応じてズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段、
前記モード選択手段によって選択される読み出しモードを変更するか否か判別する切替判別手段、
前記切替判別手段によって読み出しモードを変更すると判別された場合に、予め設定される切替画像を表す切替画像情報を生成する切替画像生成手段、
前記低減モードでセンサ情報を読み出す場合には、前記低減読み出し手段によって読み出された前記センサ情報が表す低減画像を表示させ、前記領域モードでセンサ情報を読み出す場合には、前記領域読み出し手段によって読み出された前記センサ情報が表す領域画像を表示させ、前記切替画像生成手段によって生成された切替画像情報が表す切替画像を、前記低減画像と前記領域画像の一方から他方へ変更する間に、表示させる表示制御手段としてコンピュータを機能させる、
ことを特徴とする。
【手続補正５】
【補正対象書類名】明細書
【補正対象項目名】００１１
【補正方法】変更
【補正の内容】
【００１１】
さらに、本発明の第４の観点に係るプログラムは、
表示手段に表示された画像に対してユーザが指定する領域を表す情報を受け付ける領域受付手段、
撮像センサのＮ個（Ｎは３以上の整数）の画素について、Ｍ個（ＭはＮ未満２以上の整数）の画素毎に、入射光の強度を示すセンサ情報を読み出す低減読み出し手段、
前記撮像センサのＮ個の画素のうちの、特定領域内の各画素から、その画素への入射光の強度を示すセンサ情報を読み出す領域読み出し手段、
前記表示手段に表示された画像の大きさと前記領域受付手段によって受け付けられた情報が表す領域の大きさからズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段、
前記低減読み出し手段によって読み出された前記センサ情報、又は前記領域読み出し手段によって読み出された前記センサ情報から、前記求めたズーム倍率に応じたズーム画像情報を生成するズーム画像生成手段、
前記ズーム画像情報が表すズーム画像を前記表示手段に表示させる表示制御手段としてコンピュータを機能させる、
ことを特徴とする。
【手続補正６】
【補正対象書類名】特許請求の範囲
【補正対象項目名】全文
【補正方法】変更
【補正の内容】
【特許請求の範囲】
【請求項１】
Ｎ個（Ｎは３以上の整数）の画素を備える撮像センサと、
前記撮像センサのＮ個の画素について、Ｍ個（ＭはＮ未満２以上の整数）の画素毎に、入射光の強度を示すセンサ情報を読み出す低減読み出し手段と、
前記撮像センサのＮ個の画素のうちの、特定領域内の各画素から、その画素への入射光の強度を示すセンサ情報を読み出す領域読み出し手段と、
ユーザの指示に応じてズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段と、
前記モード選択手段によって選択される読み出しモードを変更するか否か判別する切替判別手段と、
前記切替判別手段によって読み出しモードを変更すると判別された場合に、予め設定される切替画像を表す切替画像情報を生成する切替画像生成手段と、
前記低減モードでセンサ情報を読み出す場合には、前記低減読み出し手段によって読み出された前記センサ情報が表す低減画像を表示させ、前記領域モードでセンサ情報を読み出す場合には、前記領域読み出し手段によって読み出された前記センサ情報が表す領域画像を表示させ、前記切替画像生成手段によって生成された切替画像情報が表す切替画像を、前記低減画像と前記領域画像の一方から他方へ変更する間に、表示させる表示制御手段とを備える、
ことを特徴とする撮像装置。
【請求項２】
前記切替画像生成手段は、前記切替判別手段により読み出しモードを変更すると判別された場合に、変更後の読み出しモードに対応する前記低減読み出し手段又は前記領域読み出し手段により読み出された前記センサ情報が表す画像が前記表示制御手段によって表示されるまでの間、予め設定される切替画像を表す切替画像情報を生成する、
ことを特徴とする請求項１に記載の撮像装置。
【請求項３】
前記切替画像生成手段は、前記低減読み出し手段又は前記領域読み出し手段によって前記切替判別手段による読み出しモードの変更の判別以前に読み出されたセンサ情報から、切替画像情報を生成する、
ことを特徴とする請求項１又は２に記載の撮像装置。
【請求項４】
Ｎ個（Ｎは３以上の整数）の画素を備える撮像センサと、
表示手段に表示された画像に対してユーザが指定する領域を表す情報を受け付ける領域受付手段と、
前記撮像センサのＮ個の画素について、Ｍ個（ＭはＮ未満２以上の整数）の画素毎に、入射光の強度を示すセンサ情報を読み出す低減読み出し手段と、
前記撮像センサのＮ個の画素のうちの、特定領域内の各画素から、その画素への入射光の強度を示すセンサ情報を読み出す領域読み出し手段と、
前記表示手段に表示された画像の大きさと前記領域受付手段によって受け付けられた情報が表す領域の大きさからズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段と、
前記低減読み出し手段によって読み出された前記センサ情報、又は前記領域読み出し手段によって読み出された前記センサ情報から、前記求めたズーム倍率に応じたズーム画像情報を生成するズーム画像生成手段と、
前記ズーム画像情報が表すズーム画像を前記表示手段に表示させる表示制御手段とを備える、
ことを特徴とする撮像装置。
【請求項５】
キー又はタッチパネルで構成される入力手段を備え、
前記領域受付手段は、前記入力手段へのユーザの操作に応じて、前記表示手段に表示された画像に対してユーザが指定する領域を受け付ける、
ことを特徴とする請求項４に記載の撮像装置。
【請求項６】
前記モード選択手段は、前記ズーム倍率が閾値未満である場合に、前記低減モードを選択し、前記ズーム倍率が閾値以上である場合に、前記領域モードを選択する、
ことを特徴とする請求項１乃至５のいずれか１項に記載の撮像装置。
【請求項７】
前記ズーム倍率は、前記低減読み出し手段によって読み出される前記センサ情報の全部から生成される画像を基準として求められる、
ことを特徴とする請求項１乃至６のいずれか１項に記載の撮像装置。
【請求項８】
撮像センサのＮ個（Ｎは３以上の整数）の画素について、Ｍ個（ＭはＮ未満２以上の整数）の画素毎に、入射光の強度を示すセンサ情報を読み出す低減読み出し手段、
前記撮像センサのＮ個の画素のうちの、特定領域内の各画素から、その画素への入射光の強度を示すセンサ情報を読み出す領域読み出し手段、
ユーザの指示に応じてズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段、
前記モード選択手段によって選択される読み出しモードを変更するか否か判別する切替判別手段、
前記切替判別手段によって読み出しモードを変更すると判別された場合に、予め設定される切替画像を表す切替画像情報を生成する切替画像生成手段、
前記低減モードでセンサ情報を読み出す場合には、前記低減読み出し手段によって読み出された前記センサ情報が表す低減画像を表示させ、前記領域モードでセンサ情報を読み出す場合には、前記領域読み出し手段によって読み出された前記センサ情報が表す領域画像を表示させ、前記切替画像生成手段によって生成された切替画像情報が表す切替画像を、前記低減画像と前記領域画像の一方から他方へ変更する間に、表示させる表示制御手段としてコンピュータを機能させる、
ことを特徴とするプログラム。
【請求項９】
表示手段に表示された画像に対してユーザが指定する領域を表す情報を受け付ける領域受付手段、
撮像センサのＮ個（Ｎは３以上の整数）の画素について、Ｍ個（ＭはＮ未満２以上の整数）の画素毎に、入射光の強度を示すセンサ情報を読み出す低減読み出し手段、
前記撮像センサのＮ個の画素のうちの、特定領域内の各画素から、その画素への入射光の強度を示すセンサ情報を読み出す領域読み出し手段、
前記表示手段に表示された画像の大きさと前記領域受付手段によって受け付けられた情報が表す領域の大きさからズーム倍率を求め、前記求めたズーム倍率によって、読み出しモードとして前記低減読み出し手段により前記センサ情報を読み出す低減モードと前記領域読み出し手段により前記センサ情報を読み出す領域モードのいずれかを選択するモード選択手段、
前記低減読み出し手段によって読み出された前記センサ情報、又は前記領域読み出し手段によって読み出された前記センサ情報から、前記求めたズーム倍率に応じたズーム画像情報を生成するズーム画像生成手段、
前記ズーム画像情報が表すズーム画像を前記表示手段に表示させる表示制御手段としてコンピュータを機能させる、
ことを特徴とするプログラム。
【国際調査報告】
2013005727.tif 000042
2013005727.tif 000043